(57)【要約】【課題】既に床に設置されている戸当たりを取り外すことなく利用しうるドアストッパを提供する。【解決手段】本発明に係るドアストッパ１は、戸当たり２に嵌入する嵌入部１０と、戸当たり２に嵌入した嵌入部１０から床３に平行な方向で嵌入部１０から遠ざかる方向に延在するアーム１１と、床３に垂直な方向でアーム１１の先端から立設する立設部１２とを備え、予め床３に設置されている戸当たり２にドアストッパ１を取り付けて利用することができるため、開いた状態のドア４の固定を容易に行うことができる。また、戸当たり２を取り外すことなく、ドアストッパ１を戸当たり２に嵌入させるだけでよいため、取り付け動作を簡単に行うことができる。【選択図】図２
2018178585.tif 000002
【特許請求の範囲】
【請求項１】
回動によって開閉するドアを開いた状態で固定するドアストッパであって、
予め床に設置され該ドアの一方の面に接触させ該ドアが開く角度を制限する戸当たりを備え、
該戸当たりは、該ドアの該一方の面に外側面を接触させる柱状部材と、
該柱状部材を該床に立設させる軸と、を備え、
該ドアストッパは、該戸当たりに嵌入する嵌入部と、
該戸当たりに嵌入した該嵌入部から該床に平行な方向で該嵌入部から遠ざかる方向に延在するアームと、
該床に垂直な方向で該アームの先端から立設する立設部と、を備え、
該戸当たりに該嵌入部を嵌入し、該戸当たりの該軸を回転軸として該アームを回動させ該立設部を該ドアの他方の面に接触させて開いた状態の該ドアを固定し、
該ドアを固定するときとは反対方向に該アームを回動させ該立設部を該ドアから離間させ該ドアの固定を解除するドアストッパ。
【発明の詳細な説明】
【技術分野】
【０００１】
本発明は、ドアを開いた状態で固定するドアストッパに関する。
【背景技術】
【０００２】
開閉自在なドアは、ドアの一方の辺に蝶番を備えており、蝶番を支点に旋回して開閉可能となっている。ドアを最大限に開いた際に壁などにドアが接触しないように、ドアが開く角度を制限する戸当たりが床に設置されている場合が多い。戸当たりは、例えば円柱状に形成されており、その側面にドアの面（ドアの開く方向側の面）が接触することで、それ以上ドアが開かないように制限することができる。
【０００３】
また、ドアを開いた状態で固定するために、例えば、くさび状のドアストッパが使用されている。このドアストッパを使用する場合は、ドアの下端と床との間の隙間にドアストッパの尖った先端側から進入させて、ドアを任意の位置で開いた状態で固定することが可能となっている（例えば、下記の特許文献１を参照）。しかし、ドアストッパをドアの下端と床との間の隙間に対して進入させたり引き抜いたりする作業は、人が屈んだ状態でドアが閉まらないように抑えながら行う必要があり作業性が悪い。
【０００４】
そこで、下記の特許文献２においては、床から立設状態で固定されたシャフト部と、シャフト部を中心に回動可能に一端がシャフト部に接続されたアーム部と、アーム部の他端に形成され開き戸を係止するフック部とを備えた戸用ストッパが提案されている。戸用ストッパによれば、シャフト部を中心にアーム部が旋回しフック部を水平方向に回動させるだけで、開いた状態の開き戸を係止したり開き戸の係止を解除したりすることができる。
【先行技術文献】
【特許文献】
【０００５】
【特許文献１】実全平０１−０７０９７２号公報
【特許文献２】特開２０１３−０６０７８５号公報
【発明の概要】
【発明が解決しようとする課題】
【０００６】
しかし、上記特許文献１に示すくさび状のドアストッパの尖った先端部分が折れ曲がったりして隙間に進入させるのが困難となる場合がある。一方、ドアの固定を解除して開閉自在にするときには、ドアを開く方向に動かしてドアストッパを取り除く必要がある。例えば、ドアが開く方向に壁があると、当該開く方向にドアを動かすことができず、ドアストッパを隙間から力ずくで引き抜かなければならず、ドアストッパを変形させたり破損させたりしていた。また、上記特許文献２に示す戸用ストッパは、戸当たりとドアストッパとが一体化した構成となっているため、新しく戸用ストッパを設置するときはよいが、ドアストッパを戸当たりに取り付けるためには、事前に床に固定されている戸当たりを取り外す必要があり、作業負担が大きいという問題がある。
【０００７】
本発明の目的は、既に床に設置されている戸当たりを取り外すことなく利用しうるドアストッパを提供することである。
【課題を解決するための手段】
【０００８】
本発明は、回動によって開閉するドアを開いた状態で固定するドアストッパであって、予め床に設置され該ドアの一方の面に接触させ該ドアが開く角度を制限する戸当たりを備え、該戸当たりは、該ドアの該一方の面に外側面を接触させる柱状部材と、該柱状部材を該床に立設させる軸と、を備え、該ドアストッパは、該戸当たりに嵌入する嵌入部と、該戸当たりに嵌入した該嵌入部から該床に平行な方向で該嵌入部から遠ざかる方向に延在するアームと、該床に垂直な方向で該アームの先端から立設する立設部と、を備え、該戸当たりに該嵌入部を嵌入し、該戸当たりの該軸を回転軸として該アームを回動させ該立設部を該ドアの他方の面に接触させて開いた状態の該ドアを固定し、該ドアを固定するときとは反対方向に該アームを回動させ該立設部を該ドアから離間させ該ドアの固定を解除する構成となっている。
【発明の効果】
【０００９】
本発明に係るドアストッパは、戸当たりに嵌入する嵌入部と、戸当たりに嵌入した嵌入部から床に平行な方向で嵌入部から遠ざかる方向に延在するアームと、床に垂直な方向でアームの先端から立設する立設部とを備え、予め床に設置されている戸当たりにドアストッパを取り付けて利用することができるため、開いた状態のドアの固定を容易に行うことができる。また、本発明によれば、戸当たりを取り外すことなく、ドアストッパの嵌入部を戸当たりの柱状部材に嵌入させるだけでよいため、取り付け動作を簡単に行うことができる。
【図面の簡単な説明】
【００１０】
【図１】ドア及びドアストッパの構成を示す斜視図である。
【図２】ドアストッパの構成を示す分解斜視図である。
【図３】ドアストッパの使用状態を示す斜視図である。
【図４】ドアストッパの変形例の構成及び使用状態を示す平面図である。
【図５】ドアストッパの変形例の使用状態を示す斜視図である。
【発明を実施するための形態】
【００１１】
図１に示すドアストッパ１は、回動によって開閉するドア４を開いた状態で固定するためのドアストッパの一例である。ドア４は、例えば人が出入りするための出入り口５を閉鎖または開放するための開き戸である。ドア４は、例えば、蝶番などにより回動可能な回転軸４０が出入り口５の縦枠に取り付けられており、回転軸４０を中心としてドア４が円弧を描くようにして開閉する構成となっている。
【００１２】
ドア４の一方の面４ａには、例えば人の手で把持するための取っ手４１が取り付けられている。一方の面４ａと反対側の他方の面４ｂにおいても、図示しない取っ手が取り付けられている。取っ手４１を把持した状態で、回転軸４０を中心としてドア４を手前側に開いて出入り口５を開放したり、ドア４を開く方向と反対側に閉じて出入り口５を閉鎖したりすることができる。なお、ドア４の他方の面４ｂの上端側には、例えばオートクローザが配設されており、開かれた状態のドア４が自動的に出入り口５側へ閉まるように構成されている。
【００１３】
ドアストッパ１は、予め床３に設置されドア４の一方の面４ａに接触させドア４が開く角度を制限する戸当たり２を備えている。図示の例では、壁６の手前側の床３に戸当たり２が設置されており、例えば勢いよく開いたドア４が壁６に接触しないよう制限している。図２に示すように、戸当たり２は、ドア４の一方の面４ａに外側面２０ａを接触させる柱状部材２０と、柱状部材２０を床３に立設させる軸２１とを備えている。軸２１は、床３から上方に突出した状態で固定され、柱状部材２０の中心を貫通している。柱状部材２０は、円柱状に形成されているが、この形状に限られず、角柱状に形成してもよい。また、柱状部材２０は、例えばゴムや樹脂などにより構成されている。
【００１４】
ドアストッパ１は、戸当たり２に嵌入する嵌入部１０と、戸当たり２に嵌入した嵌入部１０から床３に平行な方向で嵌入部１０から遠ざかる方向に延在するアーム１１と、床３に対して垂直な方向でアーム１１の先端から立設する立設部１２とを備えている。嵌入部１０の内側には上下方向に貫通した嵌入穴１００が形成されている。本実施形態に示す嵌入穴１００は、柱状部材２０の形状に対応させて、横断面円形状に形成され、嵌入穴１００の内径は、柱状部材２０の外径よりも僅かに大きく形成されている。このように、嵌入部１０を柱状部材２０に嵌入したり柱状部材２０から嵌入部１０を取り外したりすることにより、ドアストッパ１を戸当たり２に対して着脱自在に取り付け可能となっている。柱状部材２０に嵌入された嵌入部１０は、戸当たりとしても機能するため、例えばゴムや樹脂などの緩衝性の高い部材により形成することが好ましい。なお、嵌入穴１００は、柱状部材２０の形状に応じて形状を適宜変更することができる。
【００１５】
アーム１１は、長尺の板状部材からなり、少なくとも図１に示したドア４の幅方向の厚み４００よりも長い構成となっている。アーム１１は、戸当たり２に嵌入された状態の嵌入部１０が軸２１を中心として水平方向に旋回可能となっている。アーム１１は、床３とドア４の下端４ｃとの間に生じる隙間に進入できる程度の厚みに形成されている。また、アーム１１の上下面は、側面より広く、床３の床面に対して平行に構成されている。
【００１６】
立設部１２は、ドア４を開いた状態でドア４を固定するための部材である。立設部１２の内側の面は、ドア４の他方の面４ｂを固定する固定面１２０である。立設部１２の固定面１２０は、ドア４をキズつけないようにするために、例えばゴムや樹脂などの緩衝性の高い部材により被覆されていることが好ましい。なお、立設部１２は、アーム１１の先端を直角に折り曲げて形成してもよいし、別部材をアーム１１の先端から立設させてこれを立設部１２として構成してもよい。また、立設部１２はアーム１１の先端に配設されていればよく棒状でもよいし、板状でもよい。
【００１７】
次に、ドアストッパ１の使用例について説明する。まず、図１に示した予め床３に設置された戸当たり２の柱状部材２０に対して図２に示した嵌入部１０の嵌入穴１００から嵌入して、ドアストッパ１を戸当たり２に取り付ける。これにより、ドアストッパ１と戸当たり２とが一体となった状態となる。この状態において、ドアストッパ１の嵌入部１０は、戸当たりとして機能するため、例えば勢いよくドア４が開いたとしても、ドア４の一方の面４ａが嵌入部１０に当たるため、ドア４が壁６に接触しないよう制限することができる。
【００１８】
開いた状態のドア４を固定する場合には、例えば、人の手で取っ手４１を把持してドア４を手前側に開いて、図３に示すように、出入り口５を開放するとともに、ドアストッパ１のアーム１１が軸２１を中心として例えば時計回り方向に旋回することによりドア４の外側を立設部１２が回り込んでドア４の他方の面４ｂに配置され、立設部１２の固定面１２０でドア４の他方の面４ｂを押さえて固定する。これにより、ドア４が開いた状態を維持することができ、開放された出入り口５から人が出入り可能となる。
【００１９】
一方、開いた状態のドア４の固定を解除する場合には、ドア４を固定するときとは反対方向にアーム１１を回動させ立設部１２をドア４から離間させる。すなわち、ドアストッパ１のアーム１１が軸２１を中心として例えば反時計回り方向に旋回することにより、立設部１２の固定面１２０をドア４の他方の面４ｂから離間させ、ドアストッパ１によるドア４の固定を解除すればよい。これにより、ドア４が図示しないオートクローザにより自動的に閉まっていき、出入り口５が閉鎖される。戸当たり２に取り付けられたドアストッパ１の操作は、人が屈んだ状態で指先でアーム１１を旋回させて行ってもよいし、人が屈むことなく足先でアーム１１を旋回させて行ってもよい。
【００２０】
このように、本発明に係るドアストッパ１は、戸当たり２に嵌入する嵌入部１０と、戸当たり２に嵌入した嵌入部１０から床３に平行な方向で嵌入部１０から遠ざかる方向に延在するアーム１１と、床３に垂直な方向でアーム１１の先端から立設する立設部１２とを備え、予め床３に設置されている戸当たり２にドアストッパ１を取り付けて利用することができるため、開いた状態のドア４の固定を容易に行うことができる。また、本発明によれば、戸当たり２を取り外すことなく、ドアストッパ１の嵌入部１０を戸当たり２の柱状部材２０に嵌入させるだけでよいため、取り付け動作を簡単に行うことができる。戸当たり２からドアストッパ１を取り外す場合は、指先で嵌入部１０を把持して持ち上げるだけで、柱状部材２０からドアストッパ１を簡単に取り外すことができる。このように、ドアストッパ１は、操作性及び携帯性に優れており、様々な箇所に設置されている戸当たり２に対して取り付けて利用することが可能である。
【００２１】
図４及び図５に示すドアストッパ１ａは、上記ドアストッパ１の変形例である。ドアストッパ１ａは、図４（ａ）に示すように、嵌入部１０ａと、嵌入部１０ａの側面から遠ざかる方向に延在するアーム１３と、アーム１３の先端において床３に対して垂直な方向に立設する立設部１４とを備えている。アーム１３は、長尺の板状部材からなり、少なくともドア４の幅方向の厚み４００よりも長い構成となっている。アーム１３は、戸当たり２に嵌入された状態の嵌入部１０ａが軸２１を中心として水平方向に旋回可能となっている。アーム１３の側面１３０は、上下面よりも広く、床３の床面に対して直交する方向に向いている。
【００２２】
立設部１４は、ドア４を開いた状態でドア４を固定するための部材である。立設部１４の内側の面は、ドア４の他方の面４ｂに接触してドア４を固定する固定面１４０である。立設部１４の固定面１４０は、ドア４をキズつけないようにするために、例えばゴムや樹脂などの緩衝性の高い部材により被覆されていることが好ましい。なお、立設部１４は、アーム１３の先端をアーム１３の旋回方向に直角より鋭角に折り曲げて形成してもよいし、別部材をアーム１３の先端に配設させてこれを立設部１４として構成してもよい。また、立設部１４は、アーム１３の先端に配設されていればよく棒状でもよいし、板状でもよい。
【００２３】
ドアストッパ１ａを使用して、開いた状態のドア４を固定する場合は、図４（ｂ）に示すように、ドア４を開いて出入り口５を開放するとともに、ドアストッパ１ａのアーム１３が軸２１を中心として例えば時計回り方向に旋回することによりドア４の外側を立設部１４が回り込んでドア４の他方の面４ｂに配置され、立設部１４の固定面１４０でドア４の他方の面４ｂを押さえて固定する。これにより、図５に示すように、ドア４が開いた状態を維持することができ、開放された出入り口５から人が出入り可能となる。ドアストッパ１ａでは、立設部１４がドア４の他方の面４ｂを押さえたときに、アーム１３の側面１３０がドア４の側面４ｄに対面して位置づけられる。
【００２４】
一方、開いた状態のドア４の固定を解除する場合には、図４（ａ）に示したドアストッパ１ａのアーム１３が軸２１を中心として例えば反時計回り方向に旋回することで、立設部１４の固定面１４０をドア４の他方の面４ｂから離間させ、ドアストッパ１ａによるドア４の固定を解除すればよい。戸当たり２に取り付けられたドアストッパ１ａの操作は、上記ドアストッパ１と同様である。このように、ドアストッパ１ａにおいても、操作性及び携帯性に優れており、様々な箇所に設置されている戸当たり２に対して取り付けて利用することが可能である。
【符号の説明】
【００２５】
１，１ａ：ドアストッパ  １０，１０ａ：嵌入部  １００：嵌入穴
１１：アーム  １２：立設部  １２０：固定面  １３：アーム  １４：立設部
１４０：固定面  ２：戸当たり  ２０：柱状部材  ２１：軸
３：床  ４：ドア  ４ａ：一方の面  ４ｂ：他方の面  ４ｃ：下端  ４ｄ：側面
４０：回転軸  ４１：取っ手  ５：出入り口  ６：壁
【図１】
2018178585.tif 000003
【図２】
2018178585.tif 000004
【図３】
2018178585.tif 000005
【図４】
2018178585.tif 000006
【図５】
2018178585.tif 000007